(57)【要約】【課題】  レーテンシーが変更されたメモリ内の記録領域のパターンに基づくメモリ認証方法を提供する。【解決手段】  記録領域のレーテンシーの各変更は、記録媒体にアクセスするための読出機器によって測定が実行される際、記録領域の標準のレーテンシーに関して、レーテンシー測定の測定雑音内に含まれるように変更される。そして、記録領域の変更されたレーテンシーと、記録領域を変更するために用いられた鍵との相関を調べることによって、検証を実行する。【選択図】  図５
2006179166.tif 000002
【特許請求の範囲】
【請求項１】
記録領域に保存されているデータの要求から、要求されたデータの受信までの待ち時間である標準のレーテンシーにそれぞれ対応する記録領域を含み、該記録領域の少なくとも一部の各レーテンシーが該各対応する標準のレーテンシーに対して変更される記録媒体において、
上記レーテンシーが変更される記録領域のパターンは、それぞれ、該記録領域のレーテンシーの各変更が、当該記録媒体にアクセスするための読出機器によって測定が実行される際、上記記録領域の標準のレーテンシーに関して、レーテンシー測定の測定雑音内に含まれるように変更されることを特徴とする記録媒体。
【請求項２】
当該記録媒体は、上記記録領域として、所定量の記録容量のメモリブロックを含む光記録担体又は光磁気記録担体であり、上記各対応する標準のレーテンシーは、上記メモリブロックにビットを書き込む標準の手続きに基づいて、上記メモリブロックに書き込まれるビットの密度に基づいて決定され、上記パターンを形成する上記メモリブロックの上記変更されたレーテンシーは、より高い又はより低い密度で該各メモリブロックにビットを書き込むことによって実現される、上記各対応する標準のレーテンシーより短い又はより長いレーテンシーであることを特徴とする請求項１記載の記録媒体。
【請求項３】
上記光記録担体又は上記光磁気記録担体は、読出専用記録坦体、記録可能記録担体又は書換可能記録担体であることを特徴とする請求項２記載の記録媒体。
【請求項４】
データを記録した後に、記録領域に保存されているデータの要求から、要求されたデータの受信までの待ち時間である各対応する標準のレーテンシーによって記録領域を得るための予めフォーマットされた記録密度情報を含み、該予めフォーマットされた記録密度情報は、上記異なる記録領域の少なくとも一部の各レーテンシーが該各対応する標準のレーテンシーに対して変更されていることを示す記録可能な又は書換可能な記録媒体であって、
上記予めフォーマットされた記録密度情報は、それぞれ、該記録領域のレーテンシーの各変更が、当該記録媒体にアクセスするための読出機器によって測定が実行される際、上記記録領域の標準のレーテンシーに関して、レーテンシー測定の測定雑音内に含まれるようにレーテンシーが変更された記録領域のパターンを示すことを特徴とする記録可能な又は書換可能な記録媒体。
【請求項５】
当該記録媒体は、光記録担体又は光磁気記録担体であり、
上記予めフォーマットされた記録密度情報は、当該記録媒体のプリグルーブに書き込まれた周波数情報であり、
上記記録媒体は、上記記録領域として、所定量の記録容量のメモリブロックを含み、
上記各対応する標準のレーテンシーは、上記メモリブロックにビットを書き込む標準の手続きに基づいて、上記メモリブロックに書き込まれるビットの密度を示す上記周波数情報に基づいて決定され、
上記パターンを形成する上記メモリブロックの上記変更されたレーテンシーは、上記変更された周波数情報に基づき、より高い又はより低い密度で該メモリブロックにビットを書き込むことによって実現される、上記各対応する標準のレーテンシーより短い又はより長いレーテンシーであることを特徴とする請求項４記載の記録媒体。
【請求項６】
上記各レーテンシーが変更された記録領域のパターンは、鍵に基づいて、記録領域のパターンの標準のレーテンシーを変調することによって実現されることを特徴とする請求項１乃至５いずれか１項記載の記録媒体。
【請求項７】
上記鍵は、所定の初期化数による擬似ランダム処理に基づいて生成されることを特徴とする請求項６記載の記録媒体。
【請求項８】
上記鍵は、擬似ランダム処理に基づいて生成されたガウス分布を有する数列であり、該数列の各数は、少なくとも１つの所定の記録領域のレーテンシーを変更するために用いられることを特徴とする請求項６又は７記載の記録媒体。
【請求項９】
上記記録領域のパターン内において、所定数の連続する記録領域は、同じ変更されたレーテンシーを有することを特徴とする請求項１乃至８いずれか１項記載の記録媒体。
【請求項１０】
記録領域に保存されているデータの要求から、要求されたデータの受信までの待ち時間である標準のレーテンシーにそれぞれ対応する記録領域を含む記録媒体のエミュレータであって、各対応する標準のレーテンシーに対して、上記記録領域の少なくとも一部の各レーテンシーを変更するようエミュレートするエミュレータにおいて、
上記記録媒体にアクセスするための読出機器によって測定が実行される際、上記記録領域の標準のレーテンシーに関して、レーテンシー測定の測定雑音内に含まれるように該レーテンシーが変更された記録領域のパターンを示すように上記異なる記録領域の各レーテンシーをエミュレートし、
上記エミュレートは、上記記録領域のパターンの各レーテンシーの、それぞれの標準のレーテンシーに対する変更を定義する鍵に基づいて実行されることを特徴とするエミュレータ。
【請求項１１】
請求項１乃至９いずれか１項記載の記録媒体をエミュレートすることを特徴とする請求項１０記載のエミュレータ。
【請求項１２】
コンピュータ又はデジタルシグナルプロセッサ上で実行されて、請求項１０又は１１記載のエミュレータを実現するコンピュータプログラムを含むコンピュータプログラム製品。
【請求項１３】
記録領域に保存されているデータの要求から、要求されたデータの受信までの待ち時間である標準のレーテンシーにそれぞれ対応する異なる記録領域を形成又は指示する記録媒体を製造する記録媒体の製造方法又は記録媒体にデータを記録する記録方法であって、該異なる記録領域の少なくとも一部の各レーテンシーを該各対応する標準のレーテンシーに対して変更する記録媒体の製造方法又は記録方法において、
上記記録領域のレーテンシーの各変更が、当該記録媒体にアクセスするための読出機器によって測定が実行される際、上記記録領域の標準のレーテンシーに関して、レーテンシー測定の測定雑音内に含まれるようにレーテンシーが変更された記録領域のパターンを形成又は指示するステップを有することを特徴とする記録媒体の製造方法又は記録方法。
【請求項１４】
鍵に基づいて、記録領域のパターンの標準のレーテンシーを変調することによって上記レーテンシーが変更された記録領域のパターンを形成又は指示するステップを更に有する請求項１３記載の記録媒体の製造方法又は記録方法。
【請求項１５】
上記鍵に基づいて、記録領域のパターンの標準のレーテンシーを変調するステップは、
上記鍵によって、上記記録領域のパターンの記録領域に記録されるビットの密度を変調することによって、又は
上記鍵によって、記録可能又は書換可能な記録担体の場合、該記録坦体に記録され、上記記録領域のパターンの記録領域に記録されるビットの密度を示す周波数情報を変調することによって実行されることを特徴とする請求項１４記載の記録媒体の製造方法又は記録方法。
【請求項１６】
所定の初期化数による擬似ランダム処理に基づいて上記鍵を生成するステップを更に有する請求項１４又は１５記載の記録媒体の製造方法又は記録方法。
【請求項１７】
擬似ランダム処理に基づいて、ガウス分布を有し、各数が、少なくとも１つの所定の記録領域のレーテンシーを変更するために用いられる数列として上記鍵を生成するステップを更に有することを特徴とする請求項１４乃至１６いずれか１項記載の記録媒体の製造方法又は記録方法。
【請求項１８】
上記ストレージのパターン内において、所定数の連続する記録領域が同じ変更されたレーテンシーを有するように変調するステップを更に有する請求項１４乃至１７いずれか１項記載の記録媒体の製造方法又は記録方法。
【請求項１９】
記録領域に保存されているデータの要求から、要求されたデータの受信までの待ち時間である標準のレーテンシーにそれぞれ対応する異なる記録領域を含む記録媒体を検証する記録媒体の検証方法において、
それぞれ、上記記録領域のレーテンシーの各変更が、当該記録媒体にアクセスするための読出機器によって測定が実行される際、上記記録領域の標準のレーテンシーに関して、レーテンシー測定の測定雑音内に含まれるように上記レーテンシーが変更された記録領域のパターンを、上記レーテンシーを変更するために用いられた鍵により、上記レーテンシーが変更された記録領域のパターンのレーテンシーを相関させる相関処理によって判定するステップを有する記録媒体の検証方法。
【請求項２０】
所定の初期化数による擬似ランダム処理に基づいて上記鍵を生成するステップを更に有する請求項１９記載の記録媒体の検証方法。
【請求項２１】
擬似ランダム処理に基づいて、ガウス分布を有し、各数が、少なくとも１つの所定の記録領域のレーテンシーを変更するために用いられる数列として上記鍵を生成するステップを更に有することを特徴とする請求項１９乃至２０いずれか１項記載の記録媒体の検証方法。
【請求項２２】
コンピュータ又はデジタルシグナルプロセッサ上で実行されて、請求項１３乃至２１いずれか１項記載の方法を実現するコンピュータプログラムを含むコンピュータプログラム製品。
【請求項２３】
請求項１２又は２２記載のコンピュータプログラム製品を格納する記録媒体。
【発明の詳細な説明】
【技術分野】
【０００１】
本発明は、例えばストレージメディア（storage media）又は記録坦体（record carriers）等の記録媒体（record media）のためのコピープロテクト（copy protection）に関する。特に、本発明は、記録坦体の認証（authentication）によるコピープロテクト及びコピーコントロール（copy control）機構に関する。
【０００２】
このような記録坦体、例えばコンパクトディスク（Compact Disc：以下、ＣＤという。）及びデジタルバーサタイルディスク（Digital Versatile Disc：以下、ＤＶＤという。）又は例えばブルーレイディスク（Blu-Ray Disc）、ＨＤ−ＤＶＤ等、類似した概念に基づいて動作する他の光記録媒体の全ての既存及び将来のフォーマットを有するＣＤやＤＶＤ等は、デジタルデータを非同期信号として格納することができる。また、ＣＤ−Ｒ、ＤＶＤ−Ｒ等の記録可能な記録坦体も本発明に基づいてコピーを防止することができる。
【背景技術】
【０００３】
情報が片面又は両面及び／又は複数の層に書き込まれた光記録ディスクが様々な用途、特に音楽、ゲーム、ビデオ、コンピュータ産業の分野で用いられるようになっている。光記録媒体では、デジタル情報は、片面又は両面及び／又は複数の層に亘って渦巻状のトラックに沿って形成されたピットの形で書き込まれる。各トラックは、通常、内側から外側の順に読み出されるが、既に幾つかの光記録媒体において用いられているように、外側から内側の順に読み出されるようにすることもできる。一方、磁気記録媒体は、通常、同心円状のトラックを有する。
【０００４】
トラック上のデータ自体は、複数の記録ブロック、すなわち同じ長さを有し、等しい情報量を有するフレームに細かく分割されている。各フレームは、光記録媒体の種類（ＣＤ、ＤＶＤ）に応じて、専用のレイアウトを有している。このようなフレームには、常にユーザデータシンボルが含まれるが、同期のためのデータ、データシンボル間をマージするデータ、エラー訂正のためのデータも含まれている。
【０００５】
オーディオ情報をＣＤに保存するフォーマットは、ＣＤの仕様書である「レッドブック」規格として知られている。ＣＤ−ＲＯＭの仕様書である所謂「イエローブック」規格は、通常、ＣＤ−ＲＯＭのためのフォーマットを定めている。イエローブックフォーマットは、あらゆる点でレッドブックフォーマットに類似しているが、但し、オーディオ情報をコンピュータデータに置き換えている。レッドブック及びイエローブック規格以外に、例えば、ＤＶＤのためのブックＡ規格、ブックＤ規格及びブックＥ規格を始めとして、オーディオデータ、コンピュータデータ、ビデオデータ及びこれらの情報の組合せに対応する光ストレージメディアのために開発された多くの様々な規格／仕様書が存在している。
【０００６】
上述のように、光記録坦体自体に記録されている信号は非同期信号であり、これは、復号処理において、その信号から同期情報とタイミング情報を検出する必要があることを意味している。
【０００７】
このような記録坦体の性質のために、コピーが簡単にされてしまう。このような状況に対処するために、各記録坦体自体に書き込まれている鍵又はパスワードを利用して、認証されていないアクセスを防止する様々なコピープロテクト方式が提案されている。更に、無効な情報（invalid information）を用いて光ディスクを保証する方法もあり、この無効な情報はコピー処理の間に修復され、これにより、アプリケーションプログラムは、この無効な情報の有無に基づいて、保存されているデータが元のデータであるか、コピーであるかを判定することができる。
【０００８】
特許文献１には、コピープロテクト機構にレーテンシー情報を用いる他の手法が開示されている。この特許文献１に開示されている主要な特徴は、記録媒体において、レーテンシー情報を用いて、追加的な情報をコーディングする点である。記録媒体に型押しされるこの追加的な情報は、検証目的に用いることができ、正しいレーテンシー情報を有する記録媒体のみを正当な記録媒体であると判定し、又は正しい手法で復号できるようにしてもよい。コピーは、通常、型押しされたレーテンシー情報を有さないので、この手法は有効である。
【０００９】
しかしながら、このような記録媒体に型押しされたレーテンシー情報は、不正に読み取ることができ、レーテンシー情報を有さないコピーを読み出す読出機器と、検証を実行するコンピュータ処理との間で特別なソフトウェアを用いて、読出データの対応するレーテンシー情報をエミュレートすることによって、コピープロテクト機構を騙すことができる。更に、光学記録媒体のためのレコーダが益々高機能になり、不正に読み取られたレーテンシー情報が光記録坦体にコピーされる可能性もある。
【００１０】
【特許文献１】欧州特許出願第０２７９５２４０．７号明細書
【発明の開示】
【発明が解決しようとする課題】
【００１１】
そこで、本発明の目的は、上述の課題を解決する改良されたコピープロテクトシステム、すなわち、改良されたコピープロテクトを実現する記録媒体、改良されたコピープロテクトをサポートする記録可能な記録媒体、改良されたコピープロテクトをサポートする記録可能な又は記録不可能な記録媒体のためのエミュレータ、改良されたコピープロテクトをサポートする記録可能な又は記録不可能な記録媒体の製造方法、改良されたコピープロテクトを実現する記録可能な又は記録不可能な記録媒体の検証方法を提供することである。
【課題を解決するための手段】
【００１２】
本発明に基づく記録媒体は、独立請求項１に定義され、本発明に基づく記録可能な又は書換可能な記録媒体は、独立請求項４に定義され、本発明に基づく（記録可能又は書換可能又は書込不能又は書換不能な）記録媒体のためのエミュレータは、独立請求項１０に定義され、本発明に基づく（記録可能又は書換可能又は書込不能又は書換不能な）記録媒体の製造方法は、独立請求項１３に定義され、本発明に基づく（記録可能又は書換可能又は書込不能又は書換不能な）記録媒体の検証方法は、独立請求項１９に定義されている。これらの好適な実施形態は、それぞれの従属請求項に定義されている。更に、本発明に基づくコンピュータプログラム製品は、請求項１２及び２２に定義され、本発明に基づくコンピュータプログラム製品を記録する記録媒体は、請求項２３に定義されている。
【００１３】
本願出願人による上述の欧州特許出願と同様に、本発明は、レーテンシー情報を用いて、記録媒体に追加的な情報をコーディングし、記録媒体に型押しされるこの追加的な情報を検証目的で用いて、正しいレーテンシー情報を有する記録媒体のみを正当な記録媒体であると判定し、又は正しい手法で復号できる。なお、本発明の主な特徴は、製造標準規格（以下、単に標準と呼ぶ）からのレーテンシーの変化を非常に小さくして、単一の記録領域のレーテンシーを不正に読み取ることができないようにし、すなわち、記録媒体にアクセスするための読出機器によって測定が実行される際、レーテンシー変化がレーテンシー測定の測定雑音内に含まれるようにすることによって、この追加的な情報を元の記録媒体から不正に読み取ることをできなくすることである。
【００１４】
本発明により、単一の記録領域のレーテンシー測定だけでなく、予め決定された一部の型押しされたレーテンシー変化の全体のパターンを検討することにより、本発明に基づくレーテンシー変化を検出できるのでコピーされた記録媒体から元の記録媒体の区別することができる。本発明に基づくレーテンシー変化の検出は、相関により、好ましくは、既知の変化を表す鍵に基づいて、測定されたレーテンシーと既知の変化とを線形相関させることにより実行される。鍵は、ランダムに（擬似ランダム的に）選択してもよく、又は本発明に基づく記録媒体に格納されるプログラムが用いる追加的な情報を含むように選択してもよい。更に、この鍵は、本発明に基づく記録媒体の上に保存されるプログラムデータを符号化するために用いてもよい。
【００１５】
記録媒体の各製造規格によって対応するレーテンシーが定義されている限り、それぞれ記録領域の１つに型押しされるレーテンシー変化は、許容されている製造誤差の範囲内であっても範囲外であってもよい。例えば、ＣＤの仕様では、１．２〜１．４ｍ／ｓの線速度が許容されている。そして、製造規格は、この範囲内の１つの線速度値を用いて、この線速度値をある程度一定に保つ。なお、僅かにこの範囲から外れる値を用いてもよい。このある程度一定の線速度値の精度は、非常に精密な製造機械に依存している。なお、この値は、一般的に、製造中の一定の条件、すなわち、１つのＣＤについて用いられた線速度値に対して一定であるが、同じＣＤを後日製造する場合、同じ設定の製造機械を用いても、例えば温度や湿度等の環境条件が異なるために、線速度値が変化してしまう場合がある。ＤＶＤの場合、仕様書に基づく線速度の許容されている製造誤差は、単層ＤＶＤの場合、３．４９ｍ／ｓの０．５％ピークツーピークであり、例えば、−３．４９ｍ／ｓの−０．１％から＋０．４％であり、二層ＤＶＤの場合、３．８４ｍ／ｓの０．５％ピークツーピークである。
【００１６】
製造規格の線速度値は、使用される読出機器が、例えばＣＤ又はＤＶＤ等の製造された記録媒体にアクセスする際に問題が生じないことが保証される限り、例えば、ＣＤ仕様書等の記録媒体の仕様書に基づいて許容される範囲外に設定してもよい。ＣＤ製造に適用される本発明に基づくレーテンシー変化は、好ましくは、選択された線速度値に対する±０．５％の最大振幅、例えば、範囲［１．４，１．２］ｍ／ｓ内の線速度値の±０．５％の最大振幅を有する。ＤＶＤでは、媒体の製造時に適用される本発明に基づくレーテンシー変化は、好ましくは、単層ＤＶＤの場合３．４９ｍ／ｓ±０．３３％、二層ＤＶＤの場合３．８４ｍ／ｓ±０．３３％の最大振幅である。好ましくは、本発明に基づく線速度変化は、製造規格の選択された線速度値が平均値になるように決定する。
【００１７】
本発明では、レーテンシーは、データの要求から要求されたデータの受信までの待ち時間、例えば、機械的装置の補助によってアクセスされる記録媒体の場合、アクセス時間である。なお、レーテンシー測定は、変更された線速度を測定する間接的な手法である。このような間接的な手法は、記録媒体の線速度（又は、ピット及びランドの長さ）を汎用のアクセス機器では直接測定することができないために必要である（勿論、ピット及びランドの長さを直接測定するように、例えば、マイクロスコープ等の適切な測定機器を用いれば、直接測定を行うこともできる）。したがって、本発明の主要な特徴は、記録媒体にアクセスする読出機器によって測定が行われた場合、その記録領域の標準のレーテンシーに関して、各記録領域のレーテンシーが、レーテンシー測定の測定雑音内に含まれるように、それぞれ変更されたレーテンシーを有する記録領域のパターンを含ませ／示し／エミュレートし／決定し、及び製造し／検証することであり、この特徴は、レーテンシー変更を実現するあらゆる手法を含み、例えば、記録媒体にアクセスするための読出機器によって測定が行われた場合、記録領域のピット及びランドの標準の長さに関して、記録領域のピット及びランドの長さの各変更がピット及びランド長さが測定値の測定雑音内に含まれるように、ピット及びランドの長さがそれぞれ変更された記録領域のパターンを含ませ／示し／エミュレートし／決定し、及び製造し／検証する手法を含む。また、包括的に言えば、所定の条件について必要なアクセス時間を観測することによって測定できるレーテンシーは、アクセス機器のオペレーティングシステム（例えば、ＣＤ／ＤＶＤドライブを備えるコンピュータ装置又はコンピュータ装置のオペレーティングシステムを含む）に起因する変更を含むことがある。オペレーティングシステムによるこのような変更は、通常、雑音のように振る舞うため、このような変更があっても、本発明に基づく、記録媒体に型押しされたレーテンシー変化を観測できる。
【００１８】
本発明では、記録媒体にアクセスする読出機器又はアクセス機器は、汎用の民生用アクセス機器であり、例えば、ＣＤ又はＤＶＤの場合、通常の民生用ＣＤ又はＤＶＤプレーヤ又はコンピュータＣＤ／ＤＶＤドライブであってもよい。これらの「低コスト」機器は、記録媒体へのアクセスに関して優れた能力を有するが、アクセスの間、一定の又は高度に再現可能なレーテンシー特徴を有するようには設計されていない。この事実により、レーテンシーが変更された記録領域のパターンと、既知のレーテンシー変更とを比較することによって記録媒体の検証を可能にすると同時に、本発明に基づいて、記録媒体の単一の記録領域に型押しされたレーテンシー変化を隠すことができる。
【００１９】
本発明では、実現されるレーテンシー及び同期特性が、ストレージメディアの仕様の範囲内又は僅かにこの範囲から外れるように、好ましくは、例えば、光、磁気又は光磁気ストレージメディアの線速度を変更すること（線速度変調）によって記録領域のパターンのレーテンシーを変更し、これにより、仕様書に基づいて動作する全てのアクセス機器又はその大部分は、問題なく各記録媒体にアクセスでき、すなわち、レーテンシーが変更された各特定の記録領域のレーテンシーは、選択された線速度値が変更又は変調されないときに得られる対応する（製造規格）標準のレーテンシーと異なるとは認識されない。但し、上述のように、記録領域の全体のパターンについて、変更されたレーテンシーを観測すれば、記録媒体を検証することができる。
【００２０】
本発明に基づく記録媒体がコピーされた場合、コンテンツは、一対一の対応関係で保存されるが、コピーされたコンテンツを搬送する記録媒体は、本発明に基づく元の記録媒体とは異なるレーテンシーを示し、したがって、コピーとして明確に弁別及び認識可能になる。コピーされた記録媒体と、（レーテンシーが変更された記録領域のパターンを有する）元の記録媒体との間のこの違いは、このような記録媒体のための通常の民生用レコーダでは、レーテンシー変化を型押しすることができないために生じる。このようなレコーダによってレーテンシー変化の型押しが可能だとしても、これらの民生用機器は、「低コスト」機器であり、したがって、レーテンシー変化を記録するために必要な精度、例えば、必要な非常に小さな線速度変化は、これらの機器では実現できないため、レーテンシー変化が再生されることはない。このように、低コストの民生用機器では、本発明に基づく記録媒体を忠実にコピーすることが困難であるため、民生用アクセス機器によって、本発明に基づくレーテンシー変化を不正に読み取ることも不可能である。したがって、仮に本発明に基づく記録媒体のコピーが作成されたとしても、コピーは、読出レーテンシー、すなわち、本発明に基づくレーテンシー変化及び測定雑音と、コピーの作成の間に生成される製造雑音とを含む。したがって、本発明に基づくレーテンシー変化は、コピーを読み出す間に生じる雑音と比べて遙かに小さい。このため、このような（現在の民生用機器では製造できない）「ダイレクト」コピーさえも元の記録媒体から区別することができる。更に、更なる世代のコピー、すなわち、コピーのコピー、コピーのコピーのコピー等では、雑音が本発明に基づいて型押しされた変化を完全に隠し、これにより、例えば、マイクロスコープによる直接測定を行ってもこれらの変化を認識することすらできなくなる。一方、本発明に基づく記録媒体の製造現場では、安定した一貫性を有する手法で、本発明に基づく非常に小さなレーテンシー変化を実現できる非常に高い精度を有する「ハイエンドの」製造機械が用いられ、更に、本発明に基づく記録媒体の製造は、型押しすべきレーテンシー変化の知識に基づいて行われるため、問題は生じない。
【００２１】
本発明に係る記録媒体は、記録領域に保存されているデータの要求から、要求されたデータの受信までの待ち時間である標準のレーテンシーにそれぞれ対応する記録領域を含み、記録領域の少なくとも一部の各レーテンシーが各対応する標準のレーテンシーに対して変更される記録媒体において、レーテンシーが変更される記録領域のパターンは、それぞれ、記録領域のレーテンシーの各変更が、記録媒体にアクセスするための読出機器によって測定が実行される際、記録領域の標準のレーテンシーに関して、レーテンシー測定の測定雑音内に含まれるように変更されることを特徴とする。
【００２２】
また、本発明に係る記録可能な又は書換可能な記録媒体は、データを記録した後に、記録領域に保存されているデータの要求から、要求されたデータの受信までの待ち時間である各対応する標準のレーテンシーによって記録領域を得るための予めフォーマットされた記録密度情報を含み、予めフォーマットされた記録密度情報は、異なる記録領域の少なくとも一部の各レーテンシーが各対応する標準のレーテンシーに対して変更されていることを示す記録媒体において、予めフォーマットされた記録密度情報は、それぞれ、記録領域のレーテンシーの各変更が、記録媒体にアクセスするための読出機器によって測定が実行される際、記録領域の標準のレーテンシーに関して、レーテンシー測定の測定雑音内に含まれるようにレーテンシーが変更された記録領域のパターンを示すことを特徴とする。
【００２３】
このように、包括的に言えば、本発明に基づく記録媒体は、上述した２つの可能性の１つを示す。２つの可能性とは、通常の、すなわち、レーテンシーを用いる標準の製造に対する変化、例えば、データを回転する記録媒体に記録するために通常用いられる線速度の変調に基づく、記録領域のパターンにおけるレーテンシーの実際の変更、若しくは、データの実際の記録処理の間に、通常の線速度を実現するために用いられる、プリグルーブに記録される周波数情報を変調することによって、記録可能又は書換可能な記録媒体に記録され、通常の、すなわち、レーテンシーを用いる標準の製造に対する変化、例えば、データを回転する記録媒体に記録するために通常用いられる線速度の変調に基づく、記録領域のパターンにおけるレーテンシーの実際の変更を導くインジケータである。したがって、包括的に言えば、本発明に基づく記録媒体は、読取専用記録媒体であってもよく、又は記録可能な又は書換可能な記録媒体であってもよい。
【００２４】
更に、本発明に係るエミュレータは、記録領域に保存されているデータの要求から、要求されたデータの受信までの待ち時間である標準のレーテンシーにそれぞれ対応する記録領域を含む記録媒体のエミュレータであって、各対応する標準のレーテンシーに対して、記録領域の少なくとも一部の各レーテンシーを変更するようエミュレートするエミュレータにおいて、記録媒体にアクセスするための読出機器によって測定が実行される際、記録領域の標準のレーテンシーに関して、レーテンシー測定の測定雑音内に含まれるようにレーテンシーが変更された記録領域のパターンを示すように異なる記録領域の各レーテンシーをエミュレートし、エミュレートは、記録領域のパターンの各レーテンシーの、それぞれの標準のレーテンシーに対する変更を定義する鍵に基づいて実行される。
【００２５】
これにより、例えば、単に、所定のパターンのレーテンシー変化が記録媒体に型押しされていることが検証できない場合、その記録媒体へのアクセスを拒絶する従来のアクセス制限技術を用いて、元の記録媒体のみが使用されることを確実にすることができる。
【００２６】
本発明の好適な実施形態においては、記録媒体は、記録領域として、所定量の記録容量のメモリブロック、例えばストレージセクタ又はフレームを含む、例えば、ＣＤ又はＤＶＤ型の光記録担体又は光磁気記録担体であり、各対応する標準のレーテンシーは、メモリブロックにビットを書き込む標準の手続きに基づいて、メモリブロックに書き込まれるビットの密度に基づいて決定され、パターンを形成するメモリブロックの変更されたレーテンシーは、より高い又はより低い密度で各メモリブロックにビットを書き込むことによって実現される、各対応する標準のレーテンシーより短い又はより長いレーテンシーである。
【００２７】
メモリブロックにビットを書き込む標準の処理は、記録中のディスクの速度の設定、すなわち、ある程度理想的な手法で、すなわち、通常、可能な限り、記録媒体の仕様を満たし、記録媒体へのアクセス可能性に関して最良の性能を実現するように、レコーダのスピンドルの回転の周波数及びビットのクロック、すなわち、ディスクに書き込まれるピット及びランドを設定することを含む。この意味で、ディスクは、例えば、射出成形プロセスによって実際に光ディスクを製造するスタンプ処理を行うためのマスタを含む。一般に、光記録メディアのレーテンシーは、記録時の線速度に依存している。ＣＤ及びＣＤ−ＲＯＭ並びにＤＶＤ及びＤＶＤ−ＲＯＭには、通常、記録線速度が、記録位置から独立して、一定になるようにデータが記録される。１）メディアの回転速度、すなわち、追跡線速度と、２）記録信号クロックの２つのパラメータに依存している。ＣＬＶ（constant linear velocity：線速度一定）記録方式は、一定の記録線速度を実現するために、回転速度を変化させ、信号クロックを一定にする記録方式であり、ＣＡＶ（constant angular velocity：角速度一定）記録方式は、一定の記録角速度を達成するために、回転速度を一定にし、信号クロックを変化させる記録方式である。
【００２８】
一具体例として、通常の製造の間に、ＣＤの仕様書に基づく線速度を［１．２，１．４］ｍ／ｓの範囲で選択してもよい。この場合、ＣＬＶ記録の信号クロックを４，３２１，８００ビット／秒に設定し、回転速度は、１分あたり約６００回転から１分あたり約２００回転の範囲で変化させる。これらの通常の値に基づいて記録媒体を製造することにより、対応する標準レーテンシーが得られる。本発明の好適な実施形態に基づく線速度の変化は、通常の標準的な製造工程と同様に回転速度を保ちながら、４，３２１，８００ビット／秒±０．５％の範囲内で信号クロックを変調することによって実現される。第２の具体例として、通常の製造工程では、ＤＶＤの仕様書に基づく線速度は、単層の場合３．４９ｍ／ｓであり、二層の場合３．８４ｍ／ｓである。したがって、ＣＬＶ記録の場合、信号クロックは、２６，０００，０００ビット／秒に設定し、回転速度は、１分あたり約１３００回転から１分あたり約４３３回転の範囲内で変化させる。これらの通常の値に基づいて記録媒体を製造することにより、対応する標準レーテンシーが得られる。本発明の好適な実施形態に基づく線速度の変化は、通常の標準的な製造工程と同様に回転速度を保ちながら、２６，０００，０００ビット／秒±３３％の範囲内で信号クロックを変調することによって実現される。
【００２９】
各メモリブロックに、より高い又はより低い密度でビットを書き込むことにより、変更されたレーテンシーによってメモリブロックの長さが物理的に変化する。信号クロックは固定されたままなので、この物理的変化により、メモリブロック内のデータを読み出すのが必要な時間がより長く又はより短くなる。なお、本発明に基づいて記録媒体に型押しされるレーテンシーの偏差は、個々の変化がアクセス機器の測定雑音に含まれるため、単一の記録領域のレーテンシーを観測しても導出できず、すなわち、本発明に基づいてレーテンシーが変更された記録領域のレーテンシー測定と、レーテンシーが変更されていない記録領域のレーテンシー測定とは、レーテンシー偏差が非常に小さく、雑音の範囲に含まれるので、区別することができない。レーテンシー変化のパターン（又は実際に変化の最大振幅に依存している十分に大きいその一部）と、既知のレーテンシー変化とを比較した場合にのみ、記録媒体を検証することができる。
【００３０】
本発明に基づくレーテンシーの変化、すなわち、１つのメモリブロック内のピット及びランドの密度の変化は、通常のアクセス機器でレーテンシーを検出する際の測定雑音内にあるが、製造変化に加えて、レーテンシーが変更されたメモリブロックのパターンを記録媒体に型押しする。上述のように、及び後に更に詳細に説明するように、レーテンシー変化を有するメモリブロックのパターン及び各変化が既知であれば、記録媒体を検証することができる。
【００３１】
本発明に基づく記録媒体の好適な実施形態では、上述したより短い及びより長いレーテンシーは、線速度の変化に基づいて実現してもよく、この場合、より短いレーテンシーは、対応するメモリブロック内により高い密度でビットを書き込むことによって実現され、より長いレーテンシーは、対応するメモリブロック内により低い密度でビットを書き込むことによって実現される。
【００３２】
更に、これに代えて又はこれに加えて、本発明に基づく記録媒体の好適な実施形態では、光記録媒体又は光磁気記録担体は、例えば、全ての種類のＣＤ（例えば、ＣＤ、ＣＤ−ＲＯＭ、ＣＤ−Ｒ、ＣＤ−ＲＷ）又は、全ての種類のＤＶＤ（例えば、ＤＶＤ、ＤＶＤ−ＲＯＭ、ＤＶＤ−Ｒ、ＤＶＤ＋Ｒ、ＤＶＤ＋Ｒ９、ＤＶＤ＋ＲＷ、ＤＶＤ−ＲＷ）等、読出専用記録坦体であってもよく、又は記録可能又は書換可能な記録担体であってもよい。
【００３３】
本発明の更なる側面に基づく記録可能な又は書換可能な記録媒体は、好ましくは、例えば、ＣＤ又はＤＶＤ種等の光記録担体又は光磁気記録担体であり、予めフォーマットされた記録密度情報は、記録媒体のプリグルーブに書き込まれた周波数情報であり、記録媒体は、記録領域として、例えばストレージセクタ又はフレーム等、所定量の記録容量のメモリブロックを含み、各対応する標準のレーテンシーは、メモリブロックにビットを書き込む標準の手続きに基づいて、メモリブロックに書き込まれるビットの密度を示す周波数情報に基づいて決定され、パターンを形成するメモリブロックの変更されたレーテンシーは、変更された周波数情報に基づき、より高い又はより低い密度でメモリブロックにビットを書き込むことによって実現される、各対応する標準のレーテンシーより短い又はより長いレーテンシーである。
【００３４】
更に好ましくは、本発明の更なる側面に基づく記録可能な又は書換可能な記録媒体は、上述した本発明に基づく記録媒体の特徴を有している。
【００３５】
好ましくは、本発明に基づく記録媒体又は記録可能な又は書換可能な記録媒体では、各レーテンシーが変更された記録領域のパターンは、鍵に基づいて、記録領域のパターンの標準のレーテンシーを変調することによって実現される。なお、ここでは、変調とは、鍵又は鍵の一部に対応する量、例えば、各記録領域又は各（連続する）複数の記録領域に対する、鍵の１つの値によって、パターンに属する記録領域の標準のレーテンシーを増加又は減少させることを意味する。
【００３６】
更に好ましくは、この鍵は、初期化数、すなわち、シードを用いて擬似ランダム処理に基づいて生成される。この初期化数及び／又は擬似ランダム処理は、好ましくは、本発明に基づく鍵を容易に再構築することを困難にするように、秘密にされる。
【００３７】
これに代えて又はこれに加えて、更に好ましくは、鍵は、擬似ランダム処理に基づいて生成されたガウス分布を有する数列であり、数列の各数は、少なくとも１つの所定の記録領域のレーテンシーを変更するために用いられる。このように、本発明に基づくレーテンシーの変更に、特にガウス分布を用いることにより、レーテンシー変化は、雑音のように振る舞い、したがって、（変化が未知である場合、すなわち、レーテンシー変化を不正に読み取ろうとする場合には）ハイエンドのアクセス機器を用いても（レーテンシー偏差を検出するための使用可能な処理能力及び必要な時間を考慮しても）レーテンシー変化の検出が不可能にすることができる。勿論、本発明に関して同等に作用する、測定雑音に類似する他の分布を用いてもよい。したがって、本明細書で用いる「ガウス分布」という用語は、これに類する分布も含むものとする。但し、測定雑音を良好に再現するためには、ガウス分布が特に好ましい。ガウス分布を用いる場合、好ましくは、製造時に用いる上述したＣＤのための±０．５％の線速度の変化又はＤＶＤのための±０．３３％の線速度の変化は、２．５標準偏差（２．５σ）に、同等である。更に、本発明に基づく線速度変化は、この２．５σの範囲内に制限することが好ましく、すなわち、ＣＤついては、±０．５％の線速度の変化又はＤＶＤについては、±０．３３％の線速度の変化を超える線速度変化を許容しないことが望ましい。これは、単に、この範囲を超える値を許容される最大値に低減することによって実現してもよい。
【００３８】
好ましくは、本発明に基づく記録媒体又は記録可能な又は書換可能な記録媒体では、記録領域のパターン内で所定数の連続する記録領域は、同じ変更されたレーテンシーを有する。
【００３９】
本発明に係るエミュレータは、記録領域に保存されているデータの要求から、要求されたデータの受信までの待ち時間である標準のレーテンシーにそれぞれ対応する記録領域を含む記録媒体のエミュレータであって、各対応する標準のレーテンシーに対して、記録領域の少なくとも一部の各レーテンシーを変更するようエミュレートするエミュレータにおいて、記録媒体にアクセスするための読出機器によって測定が実行される際、記録領域の標準のレーテンシーに関して、レーテンシー測定の測定雑音内に含まれるようにレーテンシーが変更された記録領域のパターンを示すように異なる記録領域の各レーテンシーをエミュレートし、エミュレートは、記録領域のパターンの各レーテンシーの、それぞれの標準のレーテンシーに対する変更を定義する鍵に基づいて実行される。
【００４０】
本発明に基づくエミュレータは、記録媒体へのアクセス動作から、認証シグネチャの特徴、すなわち、変更されたレーテンシーを有する記録領域のパターン又はその一部及び個々の記録領域のレーテンシーの変更を読み取ることができないので、本発明に基づく記録媒体をエミュレートするために、鍵（又は、勿論、鍵を生成するために用いられるシード及び用いられたアルゴリズム）を必要とする。また、本発明に基づく記録媒体のダイレクトコピーが可能である場合の上述した効果は、ダイレクトコピー及び元の記録媒体について測定されたレーテンシーに基づいて動作するエミュレータの場合にも有効である。これは、エミュレータにおいて、本発明に基づいて型押しされたレーテンシー変更を含む元の記録媒体の測定されたレーテンシー変化及び測定雑音と、エミュレータ自体の処理によって、例えば、オペレーティングシステム及びエミュレータを実行するプロセッサの負荷のために生じるレーテンシー変化とが加算されるためである。このため、この場合も、更なる雑音は、元の記録媒体にアクセスする際に生じる測定雑音以上に、本発明に基づくレーテンシー変化を「覆う」この結果、（例えば、鍵及び測定／エミューレートされたレーテンシーを比較するための適切な閾値を選択することによって）元の記録媒体から、このようなエミュレーションを区別することができる。本発明に基づくエミュレータは、好ましくは、上述した本発明に基づく記録媒体及びその全ての特徴をエミュレートする。
【００４１】
また、本発明に基づく第１のコンピュータプログラム製品は、コンピュータ、デジタルシグナルプロセッサ又はこれに類する装置に実行されて、上述した本発明に基づくエミュレータを実現するコンピュータプログラムを含む。
【００４２】
また、本発明に係る記録媒体の製造方法又は記録方法は、記録領域に保存されているデータの要求から、要求されたデータの受信までの待ち時間である標準のレーテンシーにそれぞれ対応する異なる記録領域を形成又は指示する記録媒体を製造する記録媒体の製造方法又は記録媒体にデータを記録する記録方法であって、異なる記録領域の少なくとも一部の各レーテンシーを各対応する標準のレーテンシーに対して変更する記録媒体の製造方法又は記録方法において、記録領域のレーテンシーの各変更が、記録媒体にアクセスするための読出機器によって測定が実行される際、記録領域の標準のレーテンシーに関して、レーテンシー測定の測定雑音内に含まれるようにレーテンシーが変更された記録領域のパターンを形成又は指示するステップを有することを特徴とする。
【００４３】
本発明では、記録とは、例えば、ＣＤレコーダ又はライタ又は半導体メモリのための制御回路によって、記録媒体にデータを書き込むという意味と共に、例えば、射出成形プロセスによって、ＣＤ又はＤＶＤ等の光学記録媒体を始めとする記録媒体を製造する意味も含む。これは、このプロセスにおいて、データをマスタディスクに記録することによって作成されるマスタに基づいて、スタンパが製造されるためである。
【００４４】
また、上述したように、本発明の重要な特徴は。標準のレーテンシーから（この結果、選択された線速度値による製造から）最小限の量だけ逸脱する個別に設定されたレーテンシーのパターンが本発明に基づく記録媒体に型押しされるということである。このパターンは、例えば、メモリブロック又はストレージセクタ等、異なるレーテンシーが設定された所定数の連続する記録領域から構成されていてもよく、このパターンの特徴、例えば、記録領域の数及び互いの位置の関係、及び、例えば、変更されたレーテンシーを形成するために用いられた変調値に基づく各レーテンシー変更が既知であれば、このパターンを特定できる。これらの記録領域においては、連続する記録領域のうちの１つの記録領域のみのレーテンシーが他と異なっていることが好ましい。この場合、記録領域の各レーテンシーに関して、連続する記録領域の１つの領域だけを調べればよいため、検証処理は極めて容易になる。
【００４５】
本発明に基づく記録媒体の製造方法又は記録方法は、鍵に基づいて、記録領域のパターンの標準のレーテンシーを変調することによってレーテンシーが変更された記録領域のパターンを形成又は指示するステップを更に有することが好ましい。
【００４６】
この手法には、鍵、例えば、同じ変更されたレーテンシーに対応する所定数の連続する記録領域のそれぞれについて１つの数からなる鍵に基づいて、レーテンシーを指定する信号を変調する略々通常の記録処理を実行できるという特別な利点がある。そして、この鍵を用いて、対応するレーテンシー変更が記録媒体に型押しされているか否かを検証することができる。
【００４７】
本発明に基づく記録媒体の製造方法又は記録方法では、鍵に基づいて、記録領域のパターンの標準のレーテンシーを変調するステップは、好ましくは、鍵によって、記録領域のパターンの記録領域に記録されるビットの密度を変調することによって、又は鍵によって、記録可能又は書換可能な記録担体の場合、記録坦体に記録され、記録領域のパターンの記録領域に記録されるビットの密度を示す周波数情報を変調することによって実行される。
【００４８】
したがって、本発明に基づく記録方法は、データが記録されている記録媒体にも、データの記録を可能にするプリグルーブ情報のみを含む「空」の記録可能又は書換可能な記録媒体にも適用できる。なお、本発明に基づくレーテンシー変化は、プリグルーブに書き込まれる周波数情報に反映させてもよく、パターンの特徴、例えば、パターンに含まれている記録領域の互いの相対的位置及びパターンに含まれている各記録領域のレーテンシー変更が既知であれば、パターンが記録媒体に型押しされているか否かを判定するために、記録領域のパターンの絶対位置は、事前に既知である必要はない。したがって、記録可能な又は書換可能な記録媒体は、データが記録された後に容易に検証することができる。この手法により、プリグルーブ情報を変調するために用いられた鍵がそのユーザに既知であれば、各ユーザは、記録可能な又は書換可能な記録媒体にデータを記録し、コピー保護されたデータを作成することができる。
【００４９】
本発明に基づく記録媒体の製造方法及び／又は記録方法において、鍵は、好ましくは、初期化数、すなわち、シードを用いて擬似ランダム処理に基づいて生成される。
【００５０】
このように、同じ変更されたレーテンシーに対応する所定数の連続する記録領域のそれぞれについて１つの数からなる鍵を発生することには、その（１つの）初期化数及び既知の擬似ランダム処理に基づいて検証を行うことができ、すなわち、例えば、数千個といった膨大な数の値からなる鍵が既知である必要がなくなるという特定の利点がある。
【００５１】
本発明に基づく記録媒体の製造方法又は記録方法において、鍵は、好ましくは、擬似ランダム処理に基づいて生成されたガウス分布を有する数列であり、数列の各数は、少なくとも１つの所定の記録領域のレーテンシーを変更するために用いられる。
【００５２】
ガウス分布を有する数列を鍵として発生する擬似ランダム処理により、レーテンシー変化は、測定雑音に対応する振幅を有するだけではなく、雑音のように振る舞うため、本発明に基づくレーテンシー変化を有する記録領域のパターンが型押しされた元の記録媒体から。標準のレーテンシーに対するレーテンシーの変化を容易に読み取れないことを確実にできる。
【００５３】
本発明に基づく記録媒体の製造方法又は記録方法は、好ましくは、ストレージのパターン内において、所定数の連続する記録領域が同じ変更されたレーテンシーを有するように変調するステップを更に有する。
【００５４】
鍵の同じ部分を用いるこのような変調、すなわち、擬似ランダム的に生成された同じ数を用いて所定数の連続する記録領域（のブロック）のレーテンシーを変更することにより、レーテンシー変化の検出が容易になるという利点がある。このような所定数の連続する記録領域のブロックは、記録媒体上で、前後に連続するように配置してもよく、他の如何なるパターンで配置してもよい。
【００５５】
本発明に基づく記録媒体の製造方法及び／又は記録方法において、レーテンシーを変更するステップは、記録媒体にフォーマット情報を記録することによって実行してもよい。この場合、フォーマット情報は、記録媒体に記録されるビットの密度に関する情報を含んでいてもよい。更に、フォーマット情報は、記録媒体のプリグルーブに書き込まれる周波数情報であることが好ましい。記録可能な又は書換可能な記録媒体の場合、通常、記録のために２つの書込処理が実行される。すなわち、後の書込処理、すなわち、記録するべきデータビットの書込処理の相対速度を設定するための特に記録密度又はレーテンシー情報を示すプリグルーブ情報の書込処理と、記録するデータビットの書込処理とが実行される。一方、プリグルーブ情報内の記録密度又はレーテンシー情報から独立してデータビットの書込の相対速度を設定してもよい。更に、本発明に基づく記録媒体の製造方法及び／又は記録方法では、書込データビットの相対速度を変更して記録媒体を回転させることによってデータを記録してもよい。
【００５６】
また、本発明に係る検証方法は、記録領域に保存されているデータの要求から、要求されたデータの受信までの待ち時間である標準のレーテンシーにそれぞれ対応する異なる記録領域を含む記録媒体を検証する記録媒体の検証方法において、それぞれ、記録領域のレーテンシーの各変更が、記録媒体にアクセスするための読出機器によって測定が実行される際、記録領域の標準のレーテンシーに関して、レーテンシー測定の測定雑音内に含まれるようにレーテンシーが変更された記録領域のパターンを、レーテンシーを変更するために用いられた鍵により、レーテンシーが変更された記録領域のパターンのレーテンシーを相関させる相関処理によって判定するステップを有する。
【００５７】
本発明に基づくこの検証方法は、記録媒体の記録領域の測定されたレーテンシーを、レーテンシー変化の生成及び型押しに用いた鍵と直接比較することができるという利点を有する。そして、得られた相関結果に基づいて、検討中の媒体が、（鍵に基づく小さなレーテンシー変化が型押しされた）元の記録媒体であるか、（鍵に基づく小さなレーテンシー変化が型押しされていない）そのコピーであるかを判定することができる。
【００５８】
記録媒体が本発明に基づく変更されたレーテンシーを有する記録領域を有しているか否かを検出する検出アルゴリズム、すなわち、上述の検証方法は、好ましくは、値ｓをランダムに選択し、許容されているセクタ範囲内で、肯定的検証結果を得る可能性を有するために必要なセクタの数、すなわち、それらの振幅の観測の下で、レーテンシーの変更の検出に必要である最小数をｓ＿ｍｉｎとして、すなわち、セクタ（この場合、記録領域に等しい）の範囲内で、セクタ範囲内で、ｓのセクタに続いて、ｓ＿ｍｉｎセクタが使用可能であるとの制約の下で、変更されたレーテンシーで記録領域のパターンを構築し、セクタｓで始まるセクタアクセスタイミングを測定及び保存し、保存されたアクセスタイミングと、鍵、例えば、鍵自体又は鍵に由来するシグネチャデータとの相関を調べ、相関結果が第１の閾値ｔ１を上回る（元の記録媒体であることが検出される）まで、又は、長さ、すなわち変更されたレーテンシーを有する記録領域の数からｓを減算することによって決定されたｓ＿ｍａｘのセクタが読み出されるまで、連続するアクセスタイミングの測定及び保存を継続し、エラーが発生し、又はアクセス時間が超過した場合、好ましくは、全体の測定、保存及び相関を繰返し、保存された測定データをフィルタリングしてスパイクを取り除き、読出エラーを補償し、及びドライブ較正を補償し、測定値から、所定のドライブ／ディスクについて推定されたアクセス時間を減算する後処理を適用し、フィルタリングされ、後処理された測定データと、予想された鍵又は鍵に由来するシグネチャデータとの相関を調べ、相関結果が第２の閾値ｔ２を上回った場合、元の記録媒体を検出し、この他の場合、検証を再試行するか、検証が失敗したことを検出する。
【００５９】
第１の閾値ｔ１を第２の閾値ｔ２より大きい値に設定することにより、すなわち、ｔ１＞ｔ２にすることにより、相関結果が高い第１の閾値ｔ１を上回った場合、時間がかかる測定の処理時間を短縮することができる。第２の閾値ｔ２は、検出閾値である。
【００６０】
本発明に基づく検証方法において、鍵は、好ましくは、初期化数、すなわち、シードを用いて擬似ランダム処理に基づいて生成され、特に、記録媒体の製造の間に鍵を発生するために用いられた処理と同じ擬似ランダム処理に基づいて生成される。
【００６１】
本発明に基づく検証方法では、鍵は、好ましくは、擬似ランダム処理、特に、記録媒体の製造の間に鍵を発生するために用いられた処理と同じ擬似ランダム処理に基づいて生成されたガウス分布を有する数列であり、数列の各数は、少なくとも１つの所定の記録領域のレーテンシーを変更するために用いられる。
【００６２】
本発明に基づく検証方法においては、このパターンに含まれる記録領域（及び他の記録領域）のレーテンシーを測定し、テーブルに保存した後、鍵との相関を調べ、この記録媒体がオリジナルであるか否かを判定してもよい。
【００６３】
本発明に基づく第２のコンピュータプログラム製品は、コンピュータ、デジタルシグナルプロセッサ又はこれに類する装置に実行されて、上述した記録媒体の製造方法又は記録媒体にデータを記録する記録方法及び／又は検証方法を実現するコンピュータプログラムを含む。
【００６４】
本発明を適用可能な記録媒体書込装置は、記録領域に保存されているデータの要求から、要求されたデータの受信までの待ち時間である標準のレーテンシーにそれぞれ対応するデータを、記録媒体に書き込むように構成され、レーテンシーが変更される記録領域のパターンについて、それぞれ、記録領域のレーテンシーの各変更が、記録媒体にアクセスするための読出機器によって測定が実行される際、記録領域の標準のレーテンシーに関して、レーテンシー測定の測定雑音内に含まれるように、個々の記録領域の各レーテンシーを変更する記録密度変更手段を備える。
【００６５】
このような記録媒体書込装置では、記録密度変更手段は、好ましくは、データビットの書込と記録媒体の回転との間の相対速度を変更する。この場合、記録密度変更手段は、予めフォーマットされた記録密度情報又は記録媒体上のレーテンシー情報から、データビットの書込と記録媒体の回転との間の相対速度を変更するための情報を得てもよい。これに代えて又はこれに加えて、記録密度変更手段は、外部制御信号から、データビットの書込と記録媒体の回転との間の相対速度を変更するための情報を得てもよい。
【００６６】
本明細書に組み込まれ、本明細書の一部を構成する添付の図面、上述した本発明の包括的な説明、及び以下に示す発明を実施するための最良の形態は、本発明の原理を説明するためのものである。
【発明を実施するための最良の形態】
【００６７】
図１は、コンパクトディスク（ＣＤ）のトラック８に沿った近傍の記録領域のピット１及びランド２、すなわち第１の記録領域３内のピット１とランド２の配置、第２の記録領域４内のピット１とランド２の配置、第３の記録領域５内のピット１とランド２の配置を示す図である。第１の記録領域３は、通常の、すなわち標準のＣＤ上のそれぞれの位置に対応したレーテンシーを示し、第２の記録領域４は、変更された、すなわちここではＣＤ上のそれぞれの位置に対するレーテンシーよりも短いレーテンシーを示し、第３の記録領域５は、通常の、すなわちＣＤ上のそれぞれの位置に対応したレーテンシーを示す。記録領域間の遷移領域には、ピットもランドも示されていない。図１は、この変更されたレーテンシーを拡大して示している。本発明では、原則として、記録領域の選択されたパターンに属する全ての記録領域内でレーテンシーを変更するが、標準のレーテンシーに対する本発明に基づくレーテンシーの変化は小さいため、変更されたレーテンシーで記録領域のレーテンシーを測定しても導出することはできない。本発明の原理は、複数の記録領域に（不正に読み取られることがない）小さなレーテンシー変化を含ませ、同時に多くの記録領域のレーテンシー変化を「測定」し、これにより適切なレーテンシー変化が型押しされた元の記録媒体と、レーテンシー変化を有さないコピーされた記録媒体とを区別できるようにする。
【００６８】
通常、レーテンシーは、ピット及びランドが形成されている密度と、それらのそれぞれの大きさ（expansion）とから導き出すことができる。情報の単一ビットがＣＤに通常より短い時間で書かれている場合、すなわち、ピット及びランドの密度が通常より高く、それらの大きさが通常よりも短い場合、ＣＤの所定のメモリブロック又はセクタは、通常より短い時間でアクセスされる。逆に、情報の単一のビットがＣＤに通常より長い時間で書かれている場合、すなわち、ピット及びランドの密度が通常より低く、それらの大きさが通常より長い場合、ＣＤの所定のメモリブロック又はセクタは、通常より長い時間でアクセスされる。なお、本発明に基づいて形成されるレーテンシー変化は非常に小さいため、レーテンシーを測定するために用いられるアクセス機器の測定雑音内では、（各記録領域について）それぞれ「不可視」である。更に、好ましくは、パターンを構成する記録領域内のレーテンシー変化は、雑音のように振る舞うように変更される。
【００６９】
アクセス装置が、密度がより高く、大きさがより小さいピット及びランドに対しては内部同期（self-synchronization）を非常に高速にとる場合であっても、レーテンシーは、対応する標準のレーテンシー、すなわちレーテンシーが変更されていない対応するＣＤセクタのレーテンシーと同様であり、「レーテンシーの変化」は、ディスクドライブの回転速度を変化させることにより、得ることができる。換言すれば、本発明では、相対的なレーテンシー、すなわち回転速度に対するレーテンシーの関係を考慮する。本明細書で用いるレーテンシーという用語は、対応する標準の回転速度に由来するこのディスクの回転速度の偏差を考慮に入れる。
【００７０】
通常、後述するように、ＣＤの隣接する記録領域は、それらのレーテンシーに関して、僅かな変化のみを示す。更に、図１を用いて説明したように、本発明では、通常、対応する標準（製造標準規格）のレーテンシーに関する変更は、記録領域の測定されたレーテンシーと、対応する標準レーテンシーとの比較に基づいては認識できないので、元の記録媒体のレーテンシー変化を不正に読み取ることはできず、コピーと元の記録媒体の区別は、複数の記録領域のレーテンシー変化の「測定」によってのみ可能である。更に、例えば、線速度変化に基づいて実現された変更されたレーテンシーは、好ましくは、対応する標準レーテンシーを中心とするガウス分布に基づいて形成され、すなわち、単に複数の記録領域を観測することによって、全体として、雑音に見えるレーテンシー変化を読み取ろうとする試みは、失敗するため、レーテンシー変化を生成するために用いられた鍵が未知であれば、「測定」を実行することもできない。
【００７１】
例えば、線速度変化に基づいて実現された変更されたレーテンシーは、今日入手可能なＣＤレコーダ及びＣＤ−Ｒレコーダにおいては失われる。これは、これらのレコーダでは、記録媒体に予めフォーマットされている情報、例えば、ＣＤ−Ｒのプリグルーブ内の予めフォーマットされた線速度情報に基づいてレーテンシーを判定し、記録媒体の特徴を観測することによっては、変更されたレーテンシーを導出することができないためであり、本発明に基づく検証スキームによって機密保護される記録媒体のコピー又はエミュレーションが禁止される。
【００７２】
本発明の更なる実施例である記録可能な又は書換可能な記録媒体は、例えば様々な線速度を示すプリグルーブ情報を含んでいるので、記録装置は、プリグルーブによって示される様々な線速度に自動的に適応し、記録するデータは、書込み又は記録処理の前に既知であるプリグルーブ情報に基づいて安全に保護される。
【００７３】
記録可能な又は書換可能なＣＤ又はＤＶＤのプリグルーブ情報に含まれる線速度情報を、図１に示すＣＤの実施例に対応した図２に、原理的に示す。プリグルーブ情報は、データが記録されるトラック８の位置を示し、線速度情報に基づいて、トラック位置方向に周波数的に「ウォブル」されている。
【００７４】
図２に示す具体例では、周波数は、第１の記録領域３で低く、次に、第２の記録領域４で高く、再び第３の記録領域５で低くなるように設定されている。また、図２は、図１と同様に、この変更されたレーテンシーを拡大して示しており、標準のレーテンシーに対する本発明に基づくレーテンシーの変化は、とても小さく、変更されたレーテンシーを有する記録領域のレーテンシーを測定してもこのレーテンシーの変化を導出することはできない（また、他の如何なる手法でも観測できない）。
【００７５】
本発明に基づくレーテンシー変化がプリグルーブの周波数情報に型押しされた記録可能又は書換可能な記録媒体に対して、読出専用光学記録媒体の場合、レーテンシー情報、例えば、線速度変化は、マスタリング工程において設定される。
【００７６】
勿論、上述した高い周波数と低い周波数といった２種類の周波数のみを用いるのではなく、線速度、すなわちレーテンシー情報をより高度に符号化できるように、より多くの種類の周波数を用いてもよい。図３は、２つのＣＤ−ＲＯＭの標準のレーテンシー曲線（すなわち、理想的な曲線）の分布及び５００個の記録領域に対して、例示的なＣＤ−ＲＯＭアクセス機器によって読み出された対応する測定結果（すなわち、実際のレーテンシー測定結果）を示している。レーテンシー分布は、アクセス機器が異なれば、僅かに異なるように見え、また実際に測定された値には、多少の測定雑音が含まれる。
【００７７】
詳しくは、図３に示す上側（実線）の曲線は、標準のレーテンシーに対する、すなわち、製造の間に選択された線速度から得られる測定されたレーテンシーの変化を示しており、標準のレーテンシーは、最初に測定された１６．３ｍｓのレーテンシーから最後に測定された１５．７３ｍｓのレーテンシーまで、略々線形に連続的に減少している（測定されたレーテンシーの上側の実線の曲線内で太い実線によって示す）。更に、図３に示す下側（破線）の曲線は、標準のレーテンシーに対する、すなわち、製造の間に選択された線速度から得られる測定されたレーテンシーの変化を示しており、標準のレーテンシーは、最初に測定された１６．０１ｍｓのレーテンシーから最後に測定された１５．４７ｍｓのレーテンシーまで、略々線形に連続的に減少している（測定されたレーテンシーの下側の破線の曲線内の太い破線によって示す）。両方の標準のレーテンシーの差、すなわち、上側の太い実線と、下側の太い破線との間の差は、異なる製造条件から生じ、例えば、両方のディスクは、温度及び湿度が異なる、別の日に、同じ製造機械によって、製造されたものである。
【００７８】
実際に測定されたレーテンシーの上側の実線の曲線は、記録領域が本発明に基づく変更されたレーテンシーを有するディスクの記録領域のレーテンシー測定の結果であり、実際に測定されたレーテンシーの下側の破線の曲線は、レーテンシーが変更されていないディスクについて、対応する記録領域、すなわち、同じ位置のレーテンシー測定の結果を示している。換言すれば上側の曲線は、本発明に基づくシグネチャ及び測定雑音を示しており、下側の曲線は、測定雑音だけを示している。
【００７９】
図３に示す両方の曲線の比較からわかるように、測定雑音は、通常、本発明に基づくレーテンシー変化の振幅より大きい振幅を有するので、本発明に基づく僅かなレーテンシー変化は、単一の記録領域を観測しても検出することができない。更に、両方の曲線を比較しても、導入されたレーテンシー変化の特別な分布を導出することはできない。ここで、上述のように、どの記録領域のレーテンシーが変更されているか及びレーテンシーがそれぞれどのように変更されているかが既知であり、これらの記録領域（又は、その十分な部分）のレーテンシー測定の測定結果を既知のレーテンシー変化と比較することにより、例えば、測定結果と、例えば、レーテンシー変化を発生するために用いられた鍵によって表されるレーテンシー変化との線形相関等、適切な手法で比較を行えば、記録媒体を確実に検証することができる。
【００８０】
図４は、図３の上側の曲線に示すレーテンシーを型押しするために用いた鍵値を示している。記録領域１〜５００を示す図３に対し、図４は、より長い鍵、すなわち、記録領域１〜１０００に対応する鍵を示している。鍵は、所定のシードに基づく所定の擬似ランダム処理によって発生され、この擬似ランダム処理は、±１の値が１標準偏差（１σ）に等しく、±２の値が２標準偏差（２σ）に等しく、アルゴリズムが出力する最大値が±２．５であり、±２．５の間の他の値は、上述した具体例と同様に、同等な関係で標準偏差に対応するガウス分布を有する擬似ランダム値を発生する。
【００８１】
図５では、図３の上側の曲線に示すＣＤ−ＲＯＭの標準のレーテンシーの分布の一部、すなわち、記録領域１〜１６に対応する部分を部分的に拡大して破線で示し、図３の上側の曲線の測定されたレーテンシーを実線で示し、本発明に基づいて、これらの記録領域に型押しされたレーテンシー変化を点線で示している。この場合、測定されたレーテンシーのそれぞれは、それぞれの型押しされたレーテンシー及びそれぞれの測定雑音を含む。
【００８２】
異なるレーテンシー及びそれぞれ異なる記録領域に型押しされたレーテンシーに対応する鍵値を以下の表１に示す。
【００８３】
【表１】
2006179166.tif 000003
【００８４】
図４に示す１０００個の記録領域のための鍵と、型押しされたレーテンシーは、０の鍵値がＣＤの標準のレーテンシーの０．０％の偏差に等しく、±２．５の鍵値（２．５の標準偏差、すなわち、２．５σに等しい。）がＣＤの標準のレーテンシーの±０．５％の偏差に等しい線形の関係を有する。
【００８５】
型押しされたレーテンシー及び実際に測定されたレーテンシーは、雑音のように振る舞うため、ここに示す１６個の記録領域について、測定されたレーテンシーからそれぞれ型押しされたレーテンシー変化を読み取ることは不可能であることがわかる。但し、これらの曲線の相関（又は測定されたレーテンシーとレーテンシー変化の型押しに用いた鍵との相関を調べる同等な相関の手法）により、型押しされたレーテンシーと、測定雑音のみ表す曲線、例えば、図３に示す下側の測定曲線との相関より高い相関結果の結果が得られる。上述したレーテンシー変更の仮定の下で、相関結果により、１０００の桁の多くの測定値によって、元の記録媒体のレーテンシーが測定されたか否かを高い信頼度で検証することができる。勿論、より多くの測定値を用いれば、相関結果の信頼度が高くなり、測定値を少なくすれば、相関結果の信頼度は低くなる。更に、より小さいレーテンシー変更を選択すれば、元の記録媒体のレーテンシーが測定されるか否かを検証するために、より多くの数の測定を実行する必要がある。
【００８６】
各記録領域へのアクセスを所定の「ジャンプポイント」から開始すれば、レーテンシーの直接の測定に基づいて、例えば、ＣＤセクタ又はフレーム等、特定の記録領域のレーテンシーを導出できる。
【００８７】
特に本発明に適合するように構成された特別な記録媒体アクセス機器は、レーテンシー情報を提供する更なる出力チャンネルを含んでいてもよい。図３に示す曲線は、この出力チャンネルから得られるレーテンシー情報とみなすこともできる。
【００８８】
図６は、本発明に基づいて、異なるレーテンシーを有する光記録媒体を生産するための具体的な記録媒体書込装置の機能を示す図である。信号供給装置（signal feeder）１２は、ＥＦＭ信号１３を記録される信号として、及び可変クロック信号１４をレーザビームレコーダ１５に供給する。レーザビームレコーダ１５は、レコーダエンジン１８によって角速度一定で回転されているガラスマスタ（glass master）１７にレーザビーム１６を照射する。レーザビーム１６は、ＥＦＭ信号１３及び可変クロック信号１４に基づいて変調され、ＥＦＭ信号１３に対応したピット及びランドを、可変クロック信号１４に従ってガラスマスタ１７に記録する。すなわち、可変クロック信号１４は、ガラスマスタ１７上に記録されるＥＦＭ信号１３の各ビットの長さを決定する。可変クロック信号１４が対応する記録位置の通常の周波数より高い場合、記録されるピット及びランドは、その位置における通常の長さよりも短くなり、可変クロック信号１４が通常の周波数より低い場合、記録されるビット及びランドは、その位置における通常の長さよりも長くなる。
【００８９】
図４及び表１に示す書込コード又は鍵（以下、鍵と呼ぶ）は、信号供給装置１２内で、この例示的な記録媒体書込装置において、可変クロック周波数を得るための標準クロック周波数の変調を決定する。この具体例で鍵の各値は、１つの特定のデータフレーム、すなわち、データを記録する記録領域内における通常の標準クロック周波数からのクロック周波数の偏差を決定する。この値は、上述のように、標準クロック周波数の偏差を決定する。これにより、鍵値は、生産されたガラスマスタに、したがって、これにより得られる記録媒体に型押しされたレーテンシー偏差に直接対応する。
【００９０】
図７は、図６に示す記録媒体書込装置の信号供給装置１２において実行される、異なるレーテンシーを設定する例示的な処理のフローチャートを示している。記録媒体の第１の記録領域が、本発明に基づいてレーテンシーが変更された記録領域のパターン内に含まれていない場合、記録媒体の最初には、標準クロック周波数による記録が行われる。そして、異なるレーテンシーを設定する手続きは、第１のステップＳ１から開始され、第１のフレームにおいて、この場合、連続したデータフレームのフィールドである記録領域のパターンを構築する。次に、第２のステップＳ２において、鍵の次の値を算出する。上述のように、この計算は、好ましくは、初期化数を用いて、ガウス分布を含む擬似ランダム処理に基づいて実行される。この擬似ランダム処理が実行される都度、新たな擬似乱数が出力される。出力される全ての擬似乱数が、出力順に鍵を構成する。同じ初期化数を用いて、同じ回数だけ、同じ擬似ランダム処理を実行した場合、同じ鍵値が得られる。次に、第３のステップＳ３において、次に発生された鍵値によって、標準クロック周波数を変調し、すなわち、次に発生された鍵値に対応する量だけ標準クロック周波数を増加又は減少させる。変調は、これにより得られるレーテンシーの偏差が、許容されている製造誤差内に含まれ、又はこれにより得られる記録媒体のレーテンシーを測定する際の測定雑音内に含まれるように実行される。次に、第４のステップＳ４において、変調されたクロック周波数でＥＦＭデータを書き込む。そして、第５のステップＳ５において、（記録領域のパターンを構成する）最後のフレームが処理されたか否かを判定する。最後のフレームが処理された場合、処理は第６ステップＳ６に進み、終了する。これ以外の場合、すなわち、次のフレームを処理する場合、処理は第２のステップＳ２に戻る。記録領域のパターン内に記録媒体の最後の記録領域が含まれていない限り、本発明に基づいてレーテンシーが変更された記録媒体の最後の部分は、標準クロック周波数で記録される。
【００９１】
検証シグネチャが型押しされる記録領域のパターンは、連続したデータフレームのフィールドである必要はなく、記録媒体で利用可能な複数の記録領域内の他の所定の記録領域であってもよい。この場合、レーテンシーが変更される記録領域のパターンに属さない記録領域、例えば、上述の具体例のようなデータフレームは、対応する標準クロック周波数で記録され、他の記録領域は、上述の処理に基づいて記録される。これに代えて、偏差なしを示す鍵値を出力するアルゴリズムに基づいて鍵を算出し、すなわち、変更されたレーテンシーを有する記録領域のパターンに属さない記録領域については、対応する標準レーテンシーを変更しない変調を用いて、記録媒体の全ての記録領域を上述の処理に基づいて記録してもよい。
【００９２】
図８は、本発明に基づく異なるレーテンシーを有する記録媒体のための、例示的な記録媒体検証装置の機能を説明する図である。リーダエンジン２４は、元の又はコピーされた光ディスク２３を角速度一定に回転させる。レーザピックアップ２２は、ディスク２３からデータ、すなわち、記録されたＥＦＭ信号を読み出し、読み出したデータフレーム２１を、例えば、この実施形態では、内部のタイマでデータスループットを測定するソフトウェアを有するＰＣである評価装置２０に供給する。評価装置２０は、各データフレームを受け取るまでに掛かった時間を測定し、この時間を示す情報を保存する。評価装置２０は、レーテンシーが変更された記録領域のパターンに属する全ての（又は、評価に十分な数の）データフレームを測定し、それらの各レーテンシーを保存した後に、測定結果（又は、その一部）と、対応する元の記録媒体にデータを記録するために用いられた鍵とを比較することによって、データを読み出したディスクが、元のディスクであるか又はコピーされたディスクであるかを判定することができる。
【００９３】
図９は、図８に示す記録媒体検証装置のプロセッサによって実行される、本発明に基づく記録媒体を検証する、すなわち、異なるレーテンシーとそれらを生成するために用いられた鍵とを比較する例示的な処理のフローチャートを示している。検証処理は、第１０のステップＳ１０から開始され、ここで、記録媒体にレーテンシー変化を型押しするために用いられた鍵を算出する。この計算は、既知の擬似ランダム処理、既知の鍵の長さ、及び既知の初期化数、すなわち、擬似ランダム処理のためのシードに基づいて実行される。これに代えて何らかのストレージから鍵を読み出してもよい。
【００９４】
次に、第１１のステップＳ１１において、許容されているセクタ範囲内、すなわち、変更されたレーテンシーを有する記録領域のパターンを構成するセクタ（この場合、記録領域に等しい。）の範囲内で、開始値ｓをランダムに選択する。このようにランダムに開始値ｓを選ぶ際には、セクタ範囲内で、ｓのセクタに続いて、ｓ＿ｍｉｎセクタが使用可能であるとの制約がある。ここで、ｓ＿ｍｉｎは、セクタ範囲内で、肯定的検証結果を得る可能性を有するために必要なセクタの数、すなわち、それらの振幅の観測の下で、レーテンシーの変更の検出に必要である最小数を表す。更に、変数ｉをこの開始値ｓに設定する。次に、第１２のステップＳ１２において、セクタｉのアクセス時間を測定する。そして、第１３のステップＳ１３において、鍵の長さを有するファーストインファーストアウト（first in first out：以下、ＦＩＦＯという。）メモリに、この測定時間を保存する。次に、第１４のステップＳ１４において、鍵（鍵から導出されたシグネチャデータ、例えば、鍵によって型押しされたレーテンシー）と、ＦＩＦＯメモリのコンテンツとの相関を調べる。次に、第１５のステップＳ１５において、相関結果が第１の閾値ｔ１を上回っているか否かを判定する。この判定の結果が肯定的である場合、第１６のステップＳ１６に進み、肯定的検証が得られたと判定する。この第１６のステップＳ１６の後に、処理は終了する。
【００９５】
第１５のステップＳ１５において、相関結果が第１の閾値ｔ１を上回っていないと判定された場合、処理は、第１７のステップＳ１７に進み、ここで、ｓ＿ｍａｘ個のセクタが読み出されたか否かを判定する。ここで、ｓ＿ｍａｘは、レーテンシーが変更された記録領域の長さ、すなわち記録領域の数からｓを減算することによって求められる。この判定の結果が否定的である場合、処理は、第１８のステップＳ１８に進み、ここでｉを１インクリメントする。この第１８のステップＳ１８の後に処理は、第１２のステップＳ１２に戻り、次のセクタのアクセス時間を測定する。
【００９６】
一方、第１７のステップＳ１７において、ｓ＿ｍａｘのセクタ、すなわち、ｓの記録領域に続くレーテンシーが変更された全ての記録領域が読み出されたと判定された場合、処理は、第１９のステップＳ１９に進み、ここで、アクセス時間における読出及び保存の間に、（読出）エラーが生じたか又はアクセス時間が超過したか否かを判定する。この判定の結果が肯定的である場合、処理は、第１１のステップＳ１１に戻って、測定、保存及び相関の処理を繰り返す。
【００９７】
アクセス時間における読出及び保存の間に（読出）エラーが発生せず、アクセス時間の超過も検出されない場合、処理は、第２０のステップＳ２０に進み、保存された測定データのフィルタリング及び／又は後処理を実行し、スパイクを除去し、読出エラーを補償し、ドライブ較正（drive calibration）を補償し（フィルタリング）、測定値から所定のドライブ／ディスクの推定アクセス時間を減算する（後処理）。その後、第２１のステップＳ２１において、フィルタリングされ、後処理された測定データと、予想された鍵又は鍵により導出されたシグネチャデータとの相関を調べる。次に、第２２のステップＳ２２において、この相関結果が第２の閾値ｔ２を上回っているか否かを判定する。この判定の結果が肯定的である場合、処理は、第１６のステップＳ１６に進み、ここで、肯定的検証結果が得られたと判定し、すなわち、この記録媒体が元の記録媒体であることが検出されたと判定し、処理を終了する。この他の場合、処理は、第２２のステップＳ２２から第２３のステップＳ２３に進み、否定的検証結果を得たと判定する。この検証処理を呼び出す処理に応じて、検証を再試行してもよく、検証の失敗を検出してもよい。
【００９８】
第１の閾値ｔ１を第２の閾値ｔ２より大きい値に設定することにより、すなわち、ｔ１＞ｔ２にすることにより、相関結果が高い第１の閾値ｔ１を上回った場合、時間がかかる測定の処理時間を短縮することができる。第２の閾値ｔ２は、検出閾値である。
【００９９】
勿論、レーテンシーが変更された記録領域のパターンが連続していない場合、第１８のステップＳ１８においては、ｉを１より大きい数によってインクリメントしてレーテンシーが変更された次の記録領域を決定する必要がある。更に、測定結果を保存するために、ＦＩＦＯメモリに代えて、他の形式のメモリを用いてもよい。
【０１００】
レーテンシーが観測されるフレームは、記録媒体上の全てのフレームであってもよく、すなわち、上述の処理は、記録媒体の第１の記録領域から開始してもよい。読出レーテンシーが既知の鍵に一致した場合、処理は、肯定的検証が得られたと判定し、終了する。読出レーテンシーが既知の鍵に一致しない場合、処理は、全ての記録領域を検討した後に、終了する。この処理は、相関に基づいているので、異なる読出速度に容易に適合させることができる。更に、処理を高速化するために、各レーテンシーを測定するために、レーテンシーが変更された記録領域のパターンに属す記録領域のみを検討してもよい。
【０１０１】
レーテンシー偏差が型押しされた記録領域が全く未知の場合、例えば、記録可能な又は書換可能な記録媒体の場合も、本発明に基づく方法では、これらの記録領域の相互の関係が既知であり、既知の鍵に反映されているため、記録媒体が元の記録媒体であるかコピーかを検証することができる。したがって、レーテンシーが変更された全ての（又は検証に十分な一部の）記録領域を含む所定の範囲の記録領域のレーテンシーが測定できる限り、相関結果は、検査された記録媒体が元の記録媒体であるか否かを決定的に示すことができる。
【０１０２】
図１０は、本発明に基づく記録媒体における異なる複数のレーテンシー、及びレーテンシーが変化していない記録媒体のコピーにアクセスした際のレーテンシーをエミュレートするエミュレータ又はエミュレータソフトウェアの原理を示す図である。
【０１０３】
詳しくは、図１０の上段の部分の右側には、異なるレーテンシーに基づくシグネチャ（signature）を有する本発明に基づく記録媒体のコピー３４を示している。すなわち、このコピー３４は、本発明に基づくシグネチャを示している。シグネチャ付のコピー３４に対するデータの読出しを実行すると、対応するデータブロック２６が変更された速度で検証装置（verification means）３０に供給される。この実施例では、隣り合う２つのデータブロック２６間の間隔が、例えば「標準の」の間隔である第１の時間間隔を有する第１の領域２８と、隣り合う２つのデータブロック２６間の間隔が、第１の時間間隔に比べて短い第２の時間間隔を有する第２の領域２７とが交互に現れ、すなわち、第２の領域２７内の連続する２つのデータブロック２６は、第１の領域２８内の連続する２つのデータブロック２６より短い期間で検証装置３０に到着する。
【０１０４】
検証装置３０は、ソフトウェア及びハードウェアのいずれによって実現してもよく、記録媒体の記録領域（又は、少なくともレーテンシーが変更された記録領域のパターンに含まれる記録領域、又は、少なくとも検証に十分なその一部）のレーテンシーを決定し、測定されたレーテンシーと、レーテンシー偏差を記録媒体に型押しするために用いた鍵とを比較する。検証装置３０は、例えば、データベースから、又は好ましくは、暗号化された形式で初期化数を格納する記録媒体自体からレーテンシー偏差に関する情報を得てもよく、単に、これらのレーテンシーと、読出データブロック２６が到着する速度とを比較してもよい。到着速度が各対応する記録領域の既知のレーテンシー偏差に一致する場合、この媒体を元の記録媒体であると判定し、アクセスを許可する。これらが一致しない場合、この媒体を不正コピーであると判定し、アクセスを拒否する。
【０１０５】
図１０の中段及び下段は、シグネチャなしの、すなわちレーテンシーの変化を示さない記録媒体のコピー３５へのアクセスを示している。このような、シグネチャなしのコピー３５は、元の記録媒体のデータをＣＤ−Ｒ、ＣＤ−ＲＷ、ＤＶＤ−Ｒ、ＤＶＤ＋Ｒ、ＤＶＤ−ＲＷ、ＤＶＤ＋ＲＷ、ＲＡＭ又はメモリスティック（商標）、若しくはこれらの他のあらゆる種類の記録媒体又は装置にコピーすることによって作成される。また、ネットワークを介してデータにアクセスすることによっても作成される。
【０１０６】
図１０の中段において、データブロック２６は、検証装置３０に一定の速度、この場合、図１０の上段に示す第１の領域２８における連続する２つのデータブロック２６間の第１の時間間隔に対応する速度で到着する。このように、図１０の中段に示す例では、データブロック２６は、検証装置３０に、異なる速度で到着しないため、この場合、一定の読出速度によって、シグネチャなしのコピー３５が読み出されていると直ちに判定され、検証装置３０は、記録媒体上のデータへのアクセスを拒否する。
【０１０７】
図１０の下段においては、データブロック２６は、図１０の中段の場合と同様に、シグネチャなしのコピー３５から一定の速度で読み出される。しかしながら、この例では、データブロック２６は、検証装置３０に供給される前に、エミュレータ２９に一定の速度で供給される。エミュレータ２９は、鍵又は擬似ランダム処理及びシードに基づいて、本発明に基づくシグネチャを生成し、これにより、対応するデータブロック２６は、例えば、図１０の上段に示す第１の領域２８及び第２の領域２７に対応する変更された速度で検証装置３０に供給される。したがって、図１０の下段に示す例では、データブロック２６は、検証装置３０にエミュレータ２９によって決定された異なる速度、例えばシグネチャ付のコピー３４の元の記録媒体に対応した異なる速度で供給されるため、検証装置３０は、記録媒体上のデータへのアクセスを許可する。
【０１０８】
エミュレータ２９は、ソフトウェア又はハードウェアとして実現することができ、例えばレーテンシー変化を反映するデータベース又は元の記録媒体を製造するために用いた鍵に基づいて、記録媒体上の全ての記録領域又は少なくとも所定の記録領域のレーテンシーを判定し、これらのレーテンシーを読出データブロック２６に適用し、適用されたデータブロック２６がこのエミュレータ２９から出力され、検証装置３０に供給される。
【０１０９】
更に、本発明の包括的な説明の部分で述べたように、本発明は、回転され、線速度の変更によってレーテンシーを変更される上述したような光又は光磁気記録媒体のみではなく、レーテンシーの変更を行うことができる他の記録媒体にも同様に適用することができる。また、本発明に基づくエミュレータは、好ましくは回転される異なるレーテンシーを有する光又は光磁気記録媒体のみではなく、更なるストレージメディアもエミュレートする。
【図面の簡単な説明】
【０１１０】
【図１】本発明の第１の好適な実施形態に基づくＣＤの隣接する記録領域のピット及びランドを原理的に示す図である。
【図２】本発明の第２の好適な実施形態に基づく、ＣＤ−Ｒ上のプリグルーブ情報として予めフォーマットされた記録密度情報を原理的に示す図である。
【図３】例示的なＣＤ−ＲＯＭアクセス機器における、１つのディスクの標準のレーテンシー及びこれに比較される他のディスクの変更されたレーテンシーを示す図である。
【図４】図３に示す、本発明に基づく変更されたレーテンシーを導出する鍵を示す図である。
【図５】図３に示す、標準のレーテンシーの部分的な拡大図を本発明に基づく変更されたレーテンシーと共に示す図である。
【図６】異なるレーテンシーを有する記録媒体を製造する例示的な記録媒体書込装置の機能を説明する図である。
【図７】図６に示す記録媒体書込装置の信号供給装置が実行する、異なるレーテンシーを設定する例示的な処理のフローチャートである。
【図８】異なるレーテンシーを有する記録媒体のための例示的な記録媒体検証装置の機能を説明する図である。
【図９】図８に示す記録媒体検証装置のプロセッサが実行する、異なるレーテンシーを検証する例示的な処理のフローチャートである。
【図１０】本発明に基づく記録媒体の異なるレーテンシーをエミュレートするエミュレータ又はエミュレータソフトウェアの原理を説明する図である。
【図１】
2006179166.tif 000004
【図２】
2006179166.tif 000005
【図３】
2006179166.tif 000006
【図４】
2006179166.tif 000007
【図５】
2006179166.tif 000008
【図６】
2006179166.tif 000009
【図７】
2006179166.tif 000010
【図８】
2006179166.tif 000011
【図９】
2006179166.tif 000012
【図１０】
2006179166.tif 000013
【外国語明細書】
2006179166000001.pdf
2006179166000002.pdf
2006179166000003.pdf
2006179166000004.pdf